(57)【要約】【課題】  施工時には配線のチェックを記載することで配線作業が行いやすく，使用開始後においては，使用者は正しい回路名称を確認することができるとともに，点検時には点検結果を書き込むことができ，なおかつカバー開時の美観を損なうことのない分電盤を提供すること。【解決手段】主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーは分岐開閉器の併設方向もしくは併設方向と直交する方向に対称であるとともに該充電部カバーの表面及び裏面に情報記入部を設け，カバーには回路名称記入部を設けたことを特徴として分電盤を構成した。【選択図】      図１
2005065448.tif 000002
【特許請求の範囲】
【請求項１】
主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーは分岐開閉器の併設方向もしくは併設方向と直交する方向に対称であるとともに該充電部カバーの表面及び裏面に情報記入部を設け，カバーには回路名称記入部を設けたことを特徴とする分電盤。
【請求項２】
主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーは分岐開閉器の併設方向もしくは併設方向と直交する方向に対称であるとともに該充電部カバーの片面に情報記入部を設け，カバーには回路名称記入部を設けたことを特徴とする分電盤。
【請求項３】
前記充電部カバーは樹脂成型品であって鉛筆等で筆記できるよう梨地状の表面処理を施して情報記入部としたことを特徴とする請求項１または２記載の分電盤。
【請求項４】
前記充電部カバーは黒色以外の色で成形してあることを特徴とする請求項３記載の分電盤。
【請求項５】
前記充電部カバーには，鉛筆等で筆記可能なシートをラミネート加工して情報記入部としたことを特徴とする請求項１または２記載の分電盤。
【請求項６】
前記シートは，紙または梨地状の表面処理された合成樹脂成形シートであることを特徴とする請求項５の分電盤。
【発明の詳細な説明】
【技術分野】
【０００１】
本件の発明は，施工時等の配線確認を容易に行うことが可能な，分電盤に用いられる充電部カバーに関するものである。
【背景技術】
【０００２】
従来，分電盤施工時や、分岐ブレーカに電線を結線する際に、容易に接続負荷を確認することを目的とした分電盤としては，特許文献１に記載したように，充電部を負荷名称記入板で覆うようにしたものが知られている。
【０００３】
これは，特許文献１の図１（ａ）（ｂ）に示されているように，主幹ブレーカ１０から各分岐ブレーカ１１に伸びた充電部１２のうち、該分岐ブレーカ１１を接続する為に上下に伸びた充電部１２の前面を、前記分岐ブレーカ１１に接続した負荷の名称を記入可能な負荷名称記入板１３で覆うと共に、分電盤内に設置した機器の操作部１５以外を覆う配線オオイ１６（分電盤のカバー）に前記負荷名称記入板１３に合わせた窓１７を設けて、前記配線オオイ１６（分電盤のカバー）を装着した状態で、前記負荷名称記入板１３を露出、又は、透視可能とする分電盤１の負荷名称記入板取付構造であって、前記負荷名称記入板１３の上下両端部を保持する保持部を先端に設けた負荷名称記入板支持手段を分電盤底部から突設し、前記保持部が前記負荷名称記入板を前方に押圧する押し片と、前記負荷名称記入板１３に係止して前記押し片の圧力による飛び出しを阻止する爪片とで形成して成るように構成されている。
【０００４】
また，特許文献２に記載したように，充電部カバーに施工時のメモ書きやチェック事項等の情報の書き込みが行えるようにし，分電盤のカバーには使用開始後，利用者に分かりやすいように回路名称を記入できるようにしたものがあった。
【０００５】
【特許文献１】特開２００２−４４８１１号公報  （第１図）
【特許文献２】特願２００３−２７０２１７号（第１図，第２図，第３図）
【発明の開示】
【発明が解決しようとする課題】
【０００６】
しかしながら，特許文献１においては，通常行われているように，配線オオイ１６（分電盤のカバー）に負荷名称記入板を配設する場合と比較して，分電盤の本体２に負荷名称記入板支持手段を突設させる必要があり，取付けに係る構造が複雑になりコストがかかるという問題があった。
また，負荷名称記入板は分電盤取付け後にも閲覧するものであるため，分電盤施工時，分岐ブレーカに電線を結線する際に誤って汚れや傷等をつけてしまった場合には，取り替えという事態になり，作業者にとっては余計な気を使わねばならず，作業効率の低下を招くおそれがあった。
また，分岐回路の負荷側の配線先を簡易にメモ書きしたり，電圧の確認チェックの印をしたり，ネジ締めの確認チェックの印をつけたりといった簡易な印をつけるといったことができず，その場合には，別途メモ紙を貼り付けて作業する必要があるなど不便であったり，また，メモを簡易にとれないために，誤配線や施工ミスのおそれがあるという問題があった。また，通常の充電部カバーはＡＢＳなどの合成樹脂成型のシート状で表面は滑らかで光沢性をもっており，鉛筆等で筆記しても書けなかったり，書けても判別しづらく筆記には適していないという課題があった。
【０００７】
また，特許文献２においては，充電部カバーへのメモ書きを行うにあたり，次のような問題点があった。間違えて記入した場合には消す作業が発生し手間がかかる，メモ書きスペースがいっぱいになった場合には別のメモ書き用紙等への記入が必要となり不便である，分電盤の使用開始後に，分電盤の点検時等にカバーを取外すことがあった場合には施工時のメモ書きが露呈して見た目が良くない場合があり，美観を損ねる，という問題があった。加えて点検時等のチェックを記載するスペースが必ずしも残っていないという問題もあった。
【０００８】
そこで本件の発明は，施工時には配線のチェックを記載することで配線作業が行いやすく，使用開始後においては，使用者は正しい回路名称を確認することができるとともに，点検時には点検結果を書き込むことができることや，カバー開時の美観を損なうことのない分電盤を提供することを目的としている。
【課題を解決するための手段】
【０００９】
上述の目的を達成するために，本発明の請求項１では，主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーは分岐開閉器の併設方向もしくは併設方向と直交する方向に対称であるとともに該充電部カバーの表面及び裏面に情報記入部を設け，カバーには回路名称記入部を設けたことを特徴として分電盤を構成したものである。
【００１０】
また，請求項２では，主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーは分岐開閉器の併設方向もしくは併設方向と直交する方向に対称であるとともに該充電部カバーの片面に情報記入部を設け，カバーには回路名称記入部を設けたことを特徴として分電盤を構成したものである。
【００１１】
また請求項３では，前記充電部カバーは樹脂成型品であって鉛筆等で筆記できるよう梨地状の表面処理を施して情報記入部としたことを特徴として請求項１または請求項２記載の分電盤を構成したものである。
【００１２】
また，請求項４では，前記充電部カバーは黒色以外の色で成形してあることを特徴として請求項３記載の分電盤を構成したものである。
【００１３】
また，請求項５では，前記充電部カバーには，鉛筆等で筆記可能なシートをラミネート加工して情報記入部としたことを特徴とする請求項１または請求項２記載の分電盤を構成したものである。
【００１４】
また，請求項６では，前記シートは，紙または梨地状の表面処理された合成樹脂成形シートであることを特徴として請求項５の分電盤を構成したものである。
【発明の効果】
【００１５】
上記第一の課題解決手段による効果は，主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーは分岐開閉器の併設方向もしくは併設方向と直交する方向に対称であるとともに該充電部カバーの表面及び裏面に情報記入部を設け，カバーには回路名称記入部を設けたことを特徴として分電盤を構成したため，施工時の配線情報や接続確認のチェック情報等の記載を充電部カバーの情報記入部に行えるとともに，記載場所が足りなくなる場合等には，充電部カバーを裏返して取付けることで筆記していない面が露呈し，記載を行うことができる。また，正しい回路名称の記載をカバー表面の回路名称記入部に行え使用者が回路名称を確認できる分電盤を提供することが可能となることである。
【００１６】
また，第二の課題解決手段による効果は，主開閉器と，該主開閉器と母線を介して電気的に接続される分岐開閉器と，充電部である前記母線を覆うように配設される充電部カバーと，主開閉器や母線や分岐開閉器を覆うカバーとを備え，前記充電部カバーは分岐開閉器の併設方向もしくは併設方向と直交する方向に対称であるとともに該充電部カバーの片面に情報記入部を設け，カバーには回路名称記入部を設けたことを特徴として分電盤を構成したために，施工時の配線情報や接続確認のチェック情報等の記載を充電部カバーの情報記入部に行えるとともに，施工完了時には充電部カバーを裏返して取付けることで筆記していない面を露呈させ，見た目を損なうことがなく，また，正しい回路名称の記載をカバー表面の回路名称記入部に行え使用者が回路名称を確認できる分電盤を提供することが可能となることである。
【００１７】
また，第三の課題解決手段による効果は，前記充電部カバーは樹脂成型品であって鉛筆等で筆記できるよう梨地状の表面処理を施して情報記入部としたことを特徴とする請求項１または請求項２記載の分電盤を構成したため，充電部カバーに直接，施工作業時における配線先のチェックや，電圧の確認チェックや，ネジ締め確認のチェック等のメモ書きを行うことでコストがかからずに効率よく分電盤の施工・配線作業が行え，さらに施工ミスを減らすことができる分電盤が提供可能であるということである。
【００１８】
また，第四の課題解決手段による効果は，前記充電部カバーは黒色以外の色で成形してあることを特徴とする請求項３記載の分電盤を構成したため，筆記した内容をより明確に確認することが可能であるということである。
【００１９】
また，第五の課題解決手段による効果は，前記充電部カバーには，鉛筆等で筆記可能なシートをラミネート加工して情報記入部としたことを特徴とする請求項１または請求項２記載の分電盤を構成したため，充電部カバーに直接，施工作業時における配線先のチェックや，電圧の確認チェックや，ネジ締め確認のチェック等のメモ書きを行うことでコストがかからずに効率よく分電盤の施工・配線作業が行え，さらに施工ミスを減らすことができる分電盤が提供可能であることである。
【００２０】
また，第六の課題解決手段による効果は，前記シートは，紙または梨地状の表面処理された合成樹脂成形シートであることを特徴とする請求項５の分電盤を構成したため，請求項５の分電盤の効果をより具体的な手段を提供し効果をより確実にすることができることである。
【実施例１】
【００２１】
以下，本発明に係る分電盤について図１から図５を用いて詳細に説明する。
【００２２】
図１は，本件発明の分電盤の外観図を示したものである。１は分電盤，２は主開閉器，３は分岐開閉器，９はカバー，１０は回路名称記載部である。
【００２３】
図２にはカバーを取外した場合の内部構造を示し，図３には充電部カバー４を取外した場合の構造図を示している。主開閉器２と分岐開閉器３との間は電気的に，接続バー５と母線６を介して送り母線７にて接続されている。母線６及び送り母線７の充電部は，充電部カバー４で被覆され，誤って触れることによる感電事故を防止している。
【００２４】
接続バー５は主開閉器２と母線６を中継するためのものである。母線６は送り母線７を介して各々の分岐開閉器３に電力を供給する。接続バー５は被覆された電線を用いたり，予め成形された銅バーを樹脂製のケースで絶縁したユニットを用いて構成している。
【００２５】
母線６及び送り母線７は，図３に示したように，各極間の絶縁を保つためのに樹脂材料で形成した絶縁壁８にて絶縁されている。この絶縁壁８には，充電部カバー４を嵌合取付けするための突出部１００を有し，充電部カバー４には，突出部１００に対応する嵌合用の孔２００が設けられている。
【００２６】
充電部カバー４は樹脂材料で，略Ｔ字状に，図２中，上下方向に対称になるよう形成されている。突出部１００は充電部カバーに設けられた嵌合用の孔２００と，充電部カバー４の表裏どちらでも嵌合できるよう配設されている。
【００２７】
表面裏面ともに，細かな梨地状の表面加工が施された情報記入部が設けられており，両面に鉛筆等の筆記具による筆記が可能である。仮に，片側の情報記入部が，筆記により記入スペースが足りなくなった場合には，充電部カバー４を裏返して取付けることで，新たな情報記入部を露呈させ，更に記入を行うことが可能である。
【００２８】
また，色は薄いグレーとしている。分電盤施工時においては，分電盤の取付け位置において壁内から延出している分岐用の電線を分岐開閉器に接続するが，分岐電線と負荷回路との関連を明確にしておくために接続先の配線のメモをとっておくことが多い。このメモを充電部カバー４に筆記することで，誤配線防止につながり，さらに効率よく配線作業を行うことができる。
【００２９】
また，施工時における各負荷回路への配線チェックを行う場合や，電圧の印加チェックを行う場合，端子のネジ締め確認を行う場合などにも確認チェックの情報記載のために簡易な印をつけて確認を行うことにより，誤配線や施工ミスを防ぐことができ電気事故の発生を抑制することができる。
【００３０】
施工後は，充電部カバーの表裏を違えて，突出部１００と嵌合するように取付けることで，メモ書きを行った面が裏面側となるとともに，メモ書きを行っていない面が表面側に配置されるようになることで，カバーを開けても目に触れず，メモ書きが露呈することによる美観を損ねることがなくなる。また，施工時のみならず，分電盤の点検時等では，分岐開閉器の動作確認を行う場合がある。このような場合には，充電部カバーを表裏違えて再装着することで，施工時に行った配線が明確になり，配線時の状態を把握することができる。物件によっては使用されていない分岐開閉器があり，分岐開閉器のなかでＯＮ状態とＯＦＦ状態が混在している場合があるが，予め充電部カバー４に点検前の初期状態ではＯＮ／ＯＦＦどちらであるかをメモしておくことで，ＯＮ／ＯＦＦ状態を把握でき，点検後正確に初期状態に戻すことができる。
【００３１】
さらに，メモ書きは充電部カバー４の片面にのみ行えるようにし，施工後もしくは点検後には，表裏を違えて装着し，見た目良く配設されるようにした利用方法がある。その際には，施工時の配線チェックや点検時の確認が行えるよう予め項目別に枠を記載しておくことが好ましい。
【００３２】
充電部カバー４は本実施例においては，略Ｔ字状に形成したが，図４ａに示したようにＡ，Ｂ，Ｃの部分にそれぞれ分別して，３部品となるよう各々長方形状に形成し，表裏情報を記載できるようにしてもよい。また，図４ｂに示したように，充電部カバーを略Ｈ字状に形成し，全体を１部品になるよう形成して，表裏を違えて装着できるようにしてもよい。
【００３３】
図５には，充電部カバー４の説明図を示している。（ａ），（ｂ）は鉛筆等の筆記具で筆記が可能であるように細かな凹凸を表面に設けるよう梨地状の加工を施した合成樹脂材料（ポリプロピレンや塩化ビニール，ナイロン，ＡＢＳ等，弾力性を持ったシート状に加工可能な材料）である。尚（ｂ）は表面に各回路毎に記入を行えるよう枠線を設けている。（ｃ）は，充電部カバー４にシート１１を貼付（ラミネート）したものを示している。シート１１は薄板状で紙や表面に梨地状の加工を施した合成樹脂成形材料（ポリプロピレンや塩化ビニール，ナイロン，ＡＢＳ等弾力性をもったシート状に加工可能な材料）であって，粘着や熱処理で充電部カバー４に貼付けられている。シート１１には予め情報記入部として分岐回路毎に罫線で区切られた枠が印刷されており，配線先の負荷回路名称や，電圧チェックの結果や，ネジ締め確認の結果を簡易にメモすることができるようになっている。この場合，充電部カバー４は従来の，色が黒く，表面にエンボス加工を施したものを用いた場合でも，その上にシートを貼付けて使用することができるため，充電部カバーの材質に影響することなく利用できるというメリットがある。
【００３４】
また，予め充電部カバーに分岐開閉器毎に電圧チェック，ネジ締めチェック等の情報記入欄（チェック欄等）を印刷して設けておき，施工時の接続確認が行えるようにしておいてもよい。また，筆記具には鉛筆や水性ペン，油性ペン等，配線作業時に通常所持している筆記具を用いてメモすることが可能である。
【００３５】
カバー９には分電盤施工後の利用時に回路名称を記入及び確認できる回路名称記載部１０が設けられている。この部分に正式な回路名称を記載し，分岐回路に接続されている負荷機器もしくは負荷回路を把握することができる。充電部カバー４は通常の使用時には見えなくなるため，施工時に筆記したメモは使用時の妨げにはならない。尚，充電部カバーの色は薄いグレー色としたが，鉛筆等で筆記する際に筆記したものが判別できるような色であれば，分電盤や開閉器の色と合わせた白色系統の色や，青色，黄色，橙色，濃いグレー色等，記載が分かる程度の種々の色で充電部カバーを形成してもよい。また，シート１１は合成樹脂材料以外にも紙材料で形成されたものを用いてもよい。
【産業上の利用可能性】
【００３６】
配線作業時等の確認を行うためにメモ書きに利用できるため，実施例で説明した住宅用分電盤や標準盤以外に，制御盤や，キュービクル等における使用が可能である。
【図面の簡単な説明】
【００３７】
【図１】分電盤カバーを取付けた図である。
【図２】分電盤の内部構造図である。
【図３】充電部カバーを取外した図である。
【図４】種々の充電部カバーの例を示した図である。
【図５】充電部カバーの説明図である。
【図６】従来の例を示した図である。
【符号の説明】
【００３８】
１  分電盤
２  主開閉器
３  分岐開閉器
４  充電部カバー
５  接続バー
６  母線
７  送り母線
８  絶縁壁
９  カバー
１０  回路名称記載部
１１  シート
１００  突出部
２００  嵌合用の孔
【図１】
2005065448.tif 000003
【図２】
2005065448.tif 000004
【図３】
2005065448.tif 000005
【図４】
2005065448.tif 000006
【図５】
2005065448.tif 000007
【図６】
2005065448.tif 000008